(57)【特許請求の範囲】
【請求項１】
少なくとも前後一対の針床が歯口を挟んで対向するように設けられ、各針床には先端のフックをべらで開閉する編針がフックを歯口に進退可能な状態で長手方向に沿って並設される横編機で、
針床の長手方向に往復走行するキャリッジに搭載され、歯口に進出させた編針を針床に引込む度山カムと、渡し側と受け側との目移し動作に使用する目移しカムとを含むカムシステムを使用し、
一方の針床で旧編目を係止する編針について、係止していた旧編目をノックオーバーさせて新編目を形成するニットと、旧編目の一部を割増やし編目として他方の針床で対向する編針に目移しするとともに旧編目の残部をノックオーバーさせて渡し側編目を新たに形成する割増やしの渡し側とを含むように、同一の編成コース内での選針で選択可能にする割増やし方法において、
目移しの渡し側の選択経路で編針が度山カムの作用を受ける位置に臨み、編針を押圧するプレッサーを設けておき、
該一方の針床で、ニットに選針される編針と割増やしの渡し側に選針される編針とに対し、編針のフックを歯口に進出させてから退出させるまで、目移しの渡し側として使用される選択経路に案内し、
ニットに選針される編針に対しては、プレッサーによる押圧を受けない選針ポジションを使用して、度山カムによる引込みを行い、
割増やしの渡し側に選針される編針に対しては、ニットの選針ポジションとは異なり、プレッサーによる押圧を受ける選針ポジションを使用して、度山カムによる引込みを行わない、または度山カムによる引込みを行っても、引込み量をニットよりも減少させる、
ことを特徴とする割増やし方法。
【請求項２】
前記プレッサーは、前記編針を押圧すると、編針を前記度山カムの作用を受けないように前記針床に沈める、ことを特徴とする請求項１記載の割増やし方法。
【請求項３】
前記度山カムは、前記編針が押圧を受けて前記針床に沈む程度に応じて、沈まなければ編針を引込み、沈む程度が大きければ編針を引込まず、沈む程度が中間であれば引込み量を沈まない編針に対してよりも減少可能な、度違い度山カムであり、
前記プレッサーは、編針を押圧すると、度違い度山カムによる引込み量が減少する中間の程度に、編針を針床に沈める、
ことを特徴とする請求項１記載の割り増やし方法。
【発明の詳細な説明】
【技術分野】
【０００１】
本発明は、横編機で編地を編成する際に、同一の編成コース内でニットの編目形成とともに行うことが可能な、割増やし方法に関する。
【背景技術】
【０００２】
従来から、編目形成とともに、目移しも可能な横編機では、編地を編成する際に、編幅の中間でウエールを増やす増目編成方法などに、目移しの機能を用いる割増やし方法が利用されている（たとえば、特許文献１参照）。
【０００３】
図６は、特許文献１に開示されているような割増やしに使用する編針１の構成を示す（たとえば、特許文献２参照）。編針１は、特許文献２の図７に示すものと、基本的に同一であるけれども、符号を変更して示す。横編機は、少なくとも前後一対の針床を備え、多数の編針１を有する。各針床には、キャリッジの走行方向に垂直な方向に針溝が並設されている。各編針１は、各針溝内に、歯口に対して進退する前後方向の摺動変位が可能な状態でそれぞれ収容される。編針１は、べら針であり、ニードル本体２の前端には、フック２ａが設けられ、べら２ｂで開閉される。ニードル本体２の後部にニードルジャック３を係合させ、さらにセレクトジャック４およびセレクタ５が組合されている。ニードル本体２には、べら２ｂの後方の一側方に、目移しで編目を渡す際に受け側の編針１のフック２ａを編目に差込むための羽根２ｃが設けられる。
【０００４】
ニードルジャック３は、係合部分付近に補助用バット３ａを、補助用バット３ａから後方に間隔をあけて動作用バット３ｂを、それぞれ有する。ニードルジャック３の尾部３ｃ
は弾性脚となり、動作用バット３ｂが針溝から突出するように付勢する。動作用バット３ｂの後背部には、セレクトジャック４が作用する。セレクトジャック４は、押圧を受けると、動作用バット３ｂが針溝から突出しないように沈める押圧用バット４ａを有する。押圧用バット４ａへの押圧は、セレクタ５が選針機構による選針作用を受けて選択する選針ポジションに配置されるプレッサーによって行われる。セレクタ５は、非選針位置に戻すための前バット５ａ，選針状態で選針位置に進出させるための後バット５ｂと、中間でたとえば破線で示す８つのうちの１つの位置に、選針状態か否かを選択するための選針バット５ｃとを有する。
【０００５】
図７は、編針１で割増やしを行う際に、キャリッジに搭載されるカムシステム６の動作として特許文献２の図２に開示されているものを、名称の一部や符号を変更して示す。針床に臨むキャリッジの基板７には、フック２ａが歯口８に進退するように動作用バット３ｂを駆動するニードルレイジングカム１０および度山カム１１，１２を含む編目形成用カムロック１３が配置される。基板７には、編目受け用トランスファカム１４および渡し受け両用トランスファカム１５を含む目移し用カムロック１６も配置される。目移し用カムロック１６には、渡し受け両用トランスファカム１５の歯口８側である前方に設けられるトランスファガイドカム１７も含まれる。トランスファガイドカム１７の両側には、ニードルガイドカム１８，１９が設けられる。
【０００６】
各度山カム１１，１２は、ニードルレイジングカム１０に臨んで動作用バット３ｂを引下げる傾斜面に沿って変位させることができ、編目形成の際に動作用バット３ｂの引込み量を変更して、形成する編目の大きさを変えることができる。ニードルレイジングカム１０は、後部の固定部分１０ａと前部の可動部分１０ｂとを有する。可動部分１０ｂは、図示を省略している機構で、渡し受け両用トランスファカム１５と交互に、一方が出状態であれば他方が没状態であるように、基板７に対して出没する。割増やしは、渡し受け両用トランスファカム１５を突出させて行う。
【０００７】
ニードルレイジングカム１０の後方には、セレクトジャック４の押圧用バット４ａが選針に応じて通過する選針ポジションとして、Ａ、Ｈ，Ｂの３ポジションが設定されている。Ｈポジションには、作用と不作用とを切替え可能な可動のハーフプレッサー２０，２１と、タックプレッサー２２が配置される。Ｂポジションには、固定プレッサー２３が配置され、押圧用バット４ａを押圧して動作用バット３ｂを針溝に沈める。
【０００８】
ニードルレイジングカム１０の可動部分１０ｂを突出させると、編目形成用の設定となり、Ａ，Ｈ，Ｂポジションへの選針で、ニット、タック、ミスの基本的な編成動作を、編針１毎に選針して行わせることができる。ただし、Ｈポジションでは、タックプレッサーのみ作用させるようにしておく。また、Ｈポジションで、たとえばキャリッジが左行する場合には右側となる後行側のハーフプレッサー２１を作用させることで、特許文献２の図３と同様に、度山カム１２による動作用バット３ｂの引込みを行わないようにして、度違い編成を行うことができる。
【０００９】
渡し受け両用トランスファカム１５を突出させると、目移し用の設定となる。Ａポジションでは、二点鎖線と補助用バット３ａおよび動作用バット３ｂの軌跡で示すような選択経路への案内で、編針１に編目の渡し側の動作を行わせる。Ｈポジションの選針ポジションでは、ハーフプレッサー２０，２１を作用させ、編針１に受け側の動作を行わせる。キャリッジが左行の場合は左側となる先行側のハーフプレッサー２０の作用で、編針１の動作用バット３ｂは、ニードルレイジングカム１０の固定部分１０ａの案内を受けずに乗越え、内側の編目受け用トランスファカム１４の案内を受ける。後行側のハーフプレッサー２１の作用で、動作用バット３ｂは、引込みを受けないように、後行側の度山カム１２の傾斜面を乗越える。割増やしを行う際にも、渡し受け両用トランスファカム１５を突出させて、渡し側の編針１に係止する旧編目の一部を受け側の編針１に割増やし編目として目移しし、旧編目の残部をノックオーバーさせながら渡し側編目を新たに形成する。なお、渡し側の編針１のみ動作させて歯口８で給糸を受け、対向する受け側の編針１を動作させなければ、渡し側の編針１に、新たに編目を形成するニットととしての動作を行わせることができる。
【００１０】
図８は、特許文献１の第１３図を簡略化し、符号も変更して、ニットによる編目形成中に一つの割増やしを混在させた状態を示す。ニットによる編目形成の動作では、ＦＢの編針１のフック２ａに係止されていた旧編目２５は、給糸口２６からの編糸２７の給糸で、新編目２８が形成される際にノックオーバーされる。割増やしの動作では、渡し側となるＦＢの編針１が係止する旧編目２５の一部２５ａが受け側となるＢＢの編針１のフック２ａに割増やし編目２９として目移しされる。割増やしの渡し側となるＦＢの編針１のフック２ａでは、旧編目２５の残部２５ｂがノックオーバーされて渡し側編目３０が新たに形成される。ただし、このようなニットと割増やしとを同一の編成コース内で混在させる動作は、渡し受け両用トランスファカム１５を突出させる目移し用の設定で、ニットは渡し側の編針１のみの動作で、割増やしは渡し側および受け側の両方の編針１の動作で、それぞれ可能になる。
【先行技術文献】
【特許文献】
【００１１】
【特許文献１】特公昭６２−５２０６３号公報
【特許文献２】特許第４９７７３８３号公報
【発明の概要】
【発明が解決しようとする課題】
【００１２】
図７に示すようなカムシステム６では、複数の編針１を順次案内する同一の編成コースの途中で、ニットで編目を形成する編針１は編目形成用の設定に、割増やしの編針１は目移し用の設定に、それぞれ切替えることはできない。目移し用の設定でも、前述のように、編針１を渡し側として動作させ、編針１に対向する受け側の編針１を動作させないようにしておけば、渡し側の編針１にニットの編成動作を行わせることができる。このようなニットの編成動作のために、図７では渡し側となる編針１をＡポジションに選針する。割増やしでは、編針１をＡポジションに選針して渡し側として動作させるとともに、対向する針床の編針１はＨポジションを選針させて受け側として動作させる。このようにすれば、割増やしとニットによる編目形成とを同一の編成コース内で混在させて行うことができる。ここで、ニットで形成する新編目２８および割増やしで新たに形成する渡し側編目３０の大きさは、編針１が同じＡポジションに選針されるので、同じ度山カム１１，１２による度決めで決定され、同じループ長となる。
【００１３】
しかしながら、図８に示すように、新たに形成される渡し側編目３０に、先に形成された新編目２８側から供給される編糸２７は、ニットの旧編目２５の一部２５ａが割増やし編目２９として対向する針床側に目移しされている部分を通過して引き込まれる。通過の際に受ける抵抗で、編糸２７ａへの負荷が大きくなり、渡し側編目３０をニットの新編目２８と同じループ長まで引込むと、糸切れの虞れがある。糸切れを防ぐためには、ニットと割増やしを同一の編成コースで行うのではなく、異なる編成コースに分けて、渡し側編目３０のループ長がニットの新編目２８に比べて小さくなるように、度山カム１１，１２による引込み量を減少させる方法などで対処可能である。ただし、同一の編成コースでニットと割増やしとを混在させないと、編成効率が悪くなってしまう。キャリッジの走行速度を低下させることでも、糸切れを防ぐ効果が期待されるけれども、編成効率が悪くなる。
【００１４】
本発明の目的は、同一の編成コースにニットと割増やしが混在しても、糸切れの虞れがなく、編成効率を落さずに安定した編成を可能にする割増やし方法を提供することである。
【課題を解決するための手段】
【００１５】
本発明は、少なくとも前後一対の針床が歯口を挟んで対向するように設けられ、各針床には先端のフックをべらで開閉する編針がフックを歯口に進退可能な状態で長手方向に沿って並設される横編機で、
針床の長手方向に往復走行するキャリッジに搭載され、歯口に進出させた編針を針床に引込む度山カムと、渡し側と受け側との目移し動作に使用する目移しカムとを含むカムシステムを使用し、
一方の針床で旧編目を係止する編針について、係止していた旧編目をノックオーバーさせて新編目を形成するニットと、旧編目の一部を割増やし編目として他方の針床で対向する編針に目移しするとともに旧編目の残部をノックオーバーさせて渡し側編目を新たに形成する割増やしの渡し側とを含むように、同一の編成コース内での選針で選択可能にする割増やし方法において、
目移しの渡し側の選択経路で編針が度山カムの作用を受ける位置に臨み、編針を押圧するプレッサーを設けておき、
該一方の針床で、ニットに選針される編針と割増やしの渡し側に選針される編針とに対し、編針のフックを歯口に進出させてから退出させるまで、目移しの渡し側として使用される選択経路に案内し、
ニットに選針される編針に対しては、プレッサーによる押圧を受けない選針ポジションを使用して、度山カムによる引込みを行ない、
割増やしの渡し側に選針される編針に対しては、ニットの選針ポジションとは異なり、ププレッサーによる押圧を受ける選針ポジションを使用して、度山カムによる引込みを行わない、または度山カムによる引込みを行っても、引込み量をニットよりも減少させる、
ことを特徴とする割増やし方法である。
【００１６】
また本発明で、前記プレッサーは、前記編針を押圧すると、編針を前記度山カムの作用を受けないように前記針床に沈める、
ことを特徴とする。
【００１７】
また本発明で、前記度山カムは、前記編針が押圧を受けて前記針床に沈む程度に応じて、沈まなければ編針を引込み、沈む程度が大きければ編針を引込まず、沈む程度が中間であれば引込み量を沈まない編針に対してよりも減少可能な、度違い度山カムであり、
前記プレッサーは、編針を押圧すると、度違い度山カムによる引込み量が減少する中間の程度に、編針を針床に沈める、
ことを特徴とする。
【発明の効果】
【００１８】
本発明によれば、割増やしの渡し側の動作では、ニットとは選針ポジションを異ならせ、編針がプレッサーによる押圧を受けて、度山カムの作用を受けないようにすることができる。編針を割増やしの渡し側として選針すると、新たな渡し側編目を形成する際に、度山カムによる引込みを行わない、または度山カムによる引込み量を、ニットに選針する編針に対してよりも減少させることができる。これによって、渡し側編目を形成する際の編糸の負荷を軽減して、ニットと割増やしの渡し側とが同一の編成コースに混在させて編成効率を落さないようにしても、糸切れの虞れがなく、安定した編成が可能になる。
【００１９】
また本発明によれば、割増やしの渡し側では、プレッサーによる押圧で、編針を針床に沈めて、引込みを行わないようにするので、渡し側編目を形成する際の編糸への負荷が軽減されて、糸切れの虞れをなくすことができる。
【００２０】
また本発明によれば、編針への押圧で、編針への作用による引込み量を減少可能な度違い度山カムを使用する。割増やしの渡し側では、プレッサーによる編針への押圧で引込み量をニットよりも減少させ、渡し側編目を形成する際の編糸の負荷を軽減して、糸切れの虞れをなくすことができる。
【図面の簡単な説明】
【００２１】
【図１】図１は、本発明の実施例１としての割増やし方法でのカムシステム６の動作を示すカム配置図である。
【図２】図２は、図１の動作で、同一の編成コースで混在させるニットと割増やしとの選針状態を示す図である。
【図３】図３は、同一の編成コースでニットと割増やしとを混在させる他の例を示す図である。
【図４】図４は、本発明の実施例２としての割増やし方法でのカムシステム３６の動作を示すカム配置図である。
【図５】図５は、図４の動作で、同一の編成コースで混在させるニットと割増やしとの選針状態を示す図である。
【図６】図６は、割増やしに使用する編針１の構成を示す側面図である。
【図７】図７は、先行技術での割増やし方法で使用するカムシステム６の構成を示すカム配置図である。
【図８】図８は、割増やしをニットの編目形成中に混在させた状態を示す簡略化した斜視図である。
【発明を実施するための形態】
【００２２】
以下、図１、図２および図３で、本発明の実施例１としての割増やし方法を説明する。図４および図５で、本発明の実施例２としての割増やし方法を説明する。実施例１で、先行技術と同等の部分は、同一の参照符を付して重複する説明を省略することがある。実施例１と実施例２とで同等の部分も同一の参照符を付す。実施例２についての説明では、実施例１に対応する部分についての重複する説明を省略する。また、説明対象の図には記載されていない部分について、他の図に記載される参照符を付して言及する場合がある。
【実施例１】
【００２３】
図１は、実施例１として、図７に示すカムシステム６を用い、同一の編成コース内でニットと割増やしとを混在させるための割増やし方法の動作を示す。割増やしを行う横編機では、少なくとも前後一対の針床が歯口８を挟んで対向するように設けられ、各針床には、長手方向に沿って歯口８に進退する方向に延びる針溝が並設される。各針溝には、先端のフック２ａをべら２ｂで開閉する編針１がフック２ａを歯口８に進退可能な状態で収容される。カムシステム６は、針床の長手方向に往復走行するキャリッジに搭載され、歯口８に進出させた編針１を針床に引込む度山カム１１，１２と、渡し側と受け側との目移し動作に使用する目移しカムとを含む。目移しカムとしては、編目受け用トランスファカム１４と、渡し受け両用トランスファカム１５とを含む目移し用カムロック１６を備える。目移し用カムロック１６には、トランスファガイドカム１７も含まれる。
【００２４】
カムシステム６は、図示を省略しているけれども、各編針１を選択して、複数の選択経路としてのＡ，Ｈ，Ｂポジションに分ける選針機構を含む。カムシステム６には、Ｈポジションの選択経路の一部に臨むプレッサーとして、編針１の押圧用バット４ａを押圧するハーフプレッサー２０，２１と、タックプレッサー２２とが含まれる。編針１は、カムシステム６による案内を受けるための動作用バット３ｂを有する。Ｈポジションでのハーフプレッサー２０，２１またはタックプレッサー２２、またはＢポジションでの固定プレッサー２３からの押圧用バット４ａへの押圧の有無で、カムシステム６が備えるニードルレイジングカム１０や度山カム１１，１２の作用による動作用バット３ｂの案内状態を切替え可能である。押圧用バット４ａを押圧して動作用バット３ｂを針溝に沈めると、動作用バット３ｂがカムシステム６の案内を受けない状態となる。押圧用バット４ａへの押圧を行わず、動作用バット３ｂを針溝外に突出させると、動作用バット３ｂがカムシステム６の案内を受ける状態となる。
【００２５】
本実施例１では、一方の針床で旧編目２５を係止する編針１について、ニットと割増やしの渡し側とを、同一の編成コースでの異なる選針ポジションに分ける選択を可能にする。ニットでは、係止していた旧編目２５をノックオーバーさせて新編目２８を形成する。割増やしでは、旧編目２５の一部２５ａを割増やし編目２９として他方の針床の編針１に目移しするとともに旧編目２５の残部２５ｂをノックオーバーさせて渡し側編目３０を新たに形成する。カムシステム６は、目移し動作用に設定し、一方の針床を渡し側に、他方の針床を受け側に設定する。渡し側での選針は、ニットにＡポジション、割増やしにＡポジションとは異なるＨポジションを、それぞれ割当てて行う。本実施例１では、Ａポジションには押圧用バット４ａに作用すると押圧するプレッサーを配置しないけれども、プレッサーを配置して不作用にしておいてもよい。Ｈポジションに配置するハーフプレッサー２０，２１およびタックプレッサー２２は、たとえばキャリッジが左行する場合、右側となる後行側のハーフプレッサー２１のみ作用させる。受け側では、編針１にＨポジションを選針させ、両側のハーフプレッサー２０，２１を作用させる。受け側の編針１は、先行側となるハーフプレッサー２０の作用で、ニードルレイジングカム１０の固定部分１０ａを乗越え、トランスファガイドカム１７の作用を受け、後行側となるハーフプレッサー２１の作用で、度山カム１２を乗越えるので、度山カム１２による引込み作用を受けない。
【００２６】
このようなカムシステム６の設定で、渡し側の針床で旧編目２５を係止する編針１に対し、渡し受け両用カム１５の上縁とトランスファガイドカム１７の下面との間で補助用バット３ａが案内される。フック２ａを歯口８に進出させて編糸２７の給糸を受けるまで、旧編目２５でべら２ｂを開きながら針幹の羽根２ｃの位置まで後退させる動作は、ニットと割増やしとで同様に行われる。すなわち、一方の針床で、ニットに選針される編針１と割増やしの渡し側に選針される編針１とに対し、編針１のフック２ａを歯口８に進出させてから退出させるまで、目移しの渡し側として使用される選択経路に案内する。ニットに選針される編針に対しては、ハーフプレッサー２１による押圧を行わずに、度山カム１１，１２による引込みを行ない、引込む際に、相対的に前進する旧編目２５でべら２ｂを閉じてノックオーバーさせ、引込んだ編糸２７で新編目２８を形成させる。割増やしの動作では、他方の針床の編針１をＨポジションに選針し、編目受け用トランスファカム１４による動作用バット３ｂへの案内でフック２ａを歯口８に進出させて、渡し側の編針１の羽根２ｃ付近に後退している旧編目２５の一部２５ａを割増やし編目２９として受取らせる。旧編目２５の残部２５ｂはノックオーバーされて、渡し側の編針１には、渡し側編目３０が新たに形成されるけれども、形成の際に、度山カム１１，１２による引込みを行わない。
【００２７】
本実施例１では、渡し側の編針１の動作用バット３ｂが後行側の度山カム１２の作用を受ける位置に臨む後行側のハーフプレッサー２１を、渡し側の編針１を押圧するために設けておくプレッサーとして利用する。動作用バット３ｂが度山カム１２の引込み傾斜カム面に掛る際には、ハーフプレッサー２１が押圧用バット４ａを押圧して渡し側の編針１を針床に沈める。渡し側の編針１への案内は、動作用バット３ｂのＨポジションに対応する上側の軌跡として示すように、ハーフプレッサー２１による押圧で、度山カム１２を乗越えて、引込みを行わないように変更される。ニットでは、Ａポジションに対応する下側の軌跡として示すように、度山カム１２の引込み傾斜カム面の底まで動作用バット３ｂを引込む。このように、ニットで新編目２８を形成する際には編針１を度山カム１２で引込んでも、割増やしで渡し側編目３０を形成する際には編針１を度山カム１２で引込まないので、渡し側編目３０を形成する編糸２７ａに掛る負荷が大きくならず、糸切れの虞れをなくすことができる。渡し側編目３０は、度山カム１２による引込みを行わないけれども、次のコースではニットの新編目２８を形成して、引込みを行うようにすることができるので、問題はない。
【００２８】
なお、本実施例１に使用する渡し側の編針１では、ハーフプレッサー２１によって押圧用バット４ａが押圧されても、補助用バット３ａは針溝外に突出している。このため、動作用バット３ｂが度山カム１２の作用を受ける位置に臨むまで、トランスファガイドカム１７の傾斜カム面１７ａの作用で、補助用バット３ａを介して編針１が引込まれる。
【００２９】
図２は、図１の動作で、同一の編成コースで混在させるニットと割増やしとの選針状態を模式的に示す。たとえば前針床ＦＢで複数の編針１でニットの編成を行い、複数の編針１による区間の中の１つの編針１で割増やしを行う場合を想定する。本実施例では、割増やしで渡し側となる編針１をＨポジションに選針し、ニットで新編目２８を形成する編針１をＡポジションに選針する。割増やしでは、渡し側に渡し側編目３０が形成されるとともに、受け側にも割増やし編目２９が形成される。Ａポジションでは編針１の押圧用バット４ａが押圧されないので、歯口８にフック２ａを進出させて編糸２７の給糸を受けた編針１に、度山カム１２が作用して針床に引込む。形成される新編目２８のループ長は、度山カム１２に設定された引込み量に対応する。渡し側の編針１に渡し側編目３０を新たに形成する割増やしの動作は、ハーフプレッサー２１による押圧用バット４ａへの押圧で、動作用バット３ｂを度山カム１２が引込まないようにして行うので、引込み量をニットに比べて減少させ、編糸２７ａへの負荷を軽減することができる。
【００３０】
また、同一の編成コース内にニットと混在する割増やしは、特許文献１に開示されているような増目編成方法に利用することができる。
【００３１】
図３は、同一の編成コースでニットと割増やしとを混在させる他の例として、（ａ）でニットの区間の端目で割増やしを行う例を示し、（ｂ）で３×３リブのＦＢ側の編目をＢＢ側に割増やす例を示す。カムシステム６による割増やしは、一方の針床から他方の針床、たとえばＦＢからＢＢへしかできないけれども、ニットによる新編目２８の形成は、ＦＢ，ＢＢの両方で行うことができる。
【実施例２】
【００３２】
図４は、本発明の実施例２としての割増やし方法でのカムシステム３６の動作を示す。本実施例２のカムシステム３６は、編目形成用カムロック４３を含む。編目形成用カムロック４３には、カムシステム６の度山カム１１，１２に替えて、たとえば特許第４０１６０３１号公報に開示されているような、編針１の引込み量を変えられる、可変度違い機能を有する度違い度山カム４１，４２を使用する。特許第３３０６７６３号公報に開示されているような、引込み量の差が固定された度違い機能を有する場合も同様に使用することができる。度違い度山カム４１，４２は、動作用バット３ｂが度違いプレッサー５０，５１の作用による押圧を受けると引込み量を減少可能である。すなわち、編針１が押圧を受けて針床に沈む程度に応じて、沈まなければ編針１を引込み、沈む程度が大きければ編針１を引込まず、沈む程度が中間であれば引込み量を沈まない編針１に対してよりも減少可能である。
【００３３】
度違いプレッサー５０，５１の作用による押圧を受ければ、編針１は針床に沈まないで動作用バット３ｂは、針溝外への突出量が小さいハーフ高さとなり、押圧を受けなければ、突出量が大きいフル高さとなる。度違い度山カム４１，４２では、動作用バット３ｂの突出量に応じて、編針１を針床に引込む傾斜カム面の底部となる度決め部４１ｂ，４２ｂ；４１ａ，４２ａが選択される。ハーフ高さに対応する上側の度決め部４１ｂ，４２ｂでは、フル高さに対応する下側の度決め部４１ａ，４２ａよりも、動作用バット３ｂの引込み量を小さくして、ループ長の短い編目を形成する。
【００３４】
本実施例２では、編針１の動作用バット３ｂが度違い度山カム４１，４２の作用を受ける位置に臨み、編針１の押圧用バット４ａを押圧する度違いプレッサー５０，５１を設けておく。度違いプレッサー５０，５１は、ハーフプレッサー２０，２１およびタックプレッサー２２が配置されているＨポジションとは異なるＡポジションに配置する。度違い度山カム４１，４２は、全体の変位で、下側の度決め部４１ａ，４２ａによる引込み量を変化させることができる。さらに度違い度山カム４１，４２は、上側の度決め部４１ｂ，４２ｂによる引込み量を、カム部材４１ｃ，４２ｃの変位機構４１ｄ，４２ｄによる相対的な変位で、下側の度決め部４１ａ，４２ａによる引込み量よりも減少させる方向に変化させることができる。
【００３５】
カムシステム３６でも、ニットと割増やしを同一の編成コースに混在させることができる。混在させる場合、ニットの動作は、Ｈポジションに選針し、Ｈポジションに設けるハーフプレッサー２０，２１およびタックプレッサー２２をすべて不作用にして、押圧用バット４ａを押圧しないで、動作用バット３ｂがフル高さとなるようにして行う。割り増やしの渡し側の動作は、Ａポジションに選針して行う。たとえばキャリッジが左行する場合には、Ａポジションの後行側に設ける度違いプレッサー５１による押圧で、度違い度山カム４２による編針１への引込み量を、押圧しないニットの場合よりも、減少させる。
【００３６】
図５は、図４の動作で、同一の編成コースで混在させるニットと割増やしとの選針状態を模式的に示す。割増やしで渡し側となる編針１は、Ａポジションへの選針を行い、ニットの編目形成を行う編針１は、Ｈポジションへの選針を行う。ニットでは、動作用バット３ｂを、後行側の度違い度山カム４２の下側の度決め部４２ａまで引込み、ループ長が長い、新編目２８を形成する。割増やしの渡し側では、動作用バット３ｂを、度違い度山カム４２の上側の度決め部４２ｂまで引込み、ニットの新編目２８よりも小さいループ長の渡し側編目３０を形成する。本実施例２でも、図３のように、ニットと割増やしとを混在させることができる。
【００３７】
本実施例２では、渡し側編目３０もある程度のループ長で形成することができるので、複数の割増やしが連続する場合、たとえばベースとなる編地にポケットなどを形成するような、多層編地を編出す場合に適用することができる。
【００３８】
以上の各実施例では、キャリッジが左行する場合について説明しているけれども、右行する場合、左行する場合とは先行側と後行側とが左右交替するだけで、対称に動作させることができる。図２、図３および図５に示す動作は、キャリッジが左行しても右行しても同様に可能である。また、渡し側となる針床では、Ａ，Ｈ，Ｂポジションの３つの選針ポジションのうちの２つとなるＡ，Ｈポジションで、ニットと割増やしの渡し側とを切替え、Ｂポジションではミスの動作となるようにしているので、受け側として編針を動作させることはできない。選針機構で多い数の選針ポジションを選択可能にすれば、受け側としても動作可能な選針ポジションを追加することもできる。
【符号の説明】
【００３９】
１  編針
２  ニードル本体
２ａ  フック
２ｂ  べら
３  ニードルジャック
３ｂ  動作用バット
４  セレクトジャック
４ａ  押圧用バット
６，３６  カムシステム
８  歯口
１１，１２  度山カム
１４  編目受け用トランスファカム
１５  渡し受け両用トランスファカム
１６  編目渡し用カムロック
２０，２１  ハーフプレッサー
２２  タックプレッサー
２５  旧編目
２８  新編目
２９  割増やし編目
３０  渡し側編目
４１，４２  度違い度山カム
５０，５１  度違いプレッサー
【図１】
0005913427.tif 000002
【図２】
0005913427.tif 000003
【図３】
0005913427.tif 000004
【図４】
0005913427.tif 000005
【図５】
0005913427.tif 000006
【図６】
0005913427.tif 000007
【図７】
0005913427.tif 000008
【図８】
0005913427.tif 000009